(57)【要約】      （修正有）【課題】直下型バックライト光源の輝度を向上・均一とする。【解決手段】バックライトモジュール内のランプ２０をS型構造とし、該S型ランプは、一定間隔をなす三つの直管部２０１と、前記直管部の左右開放端を接続した湾折部２０２とから構成する。S型ランプの端部を左右湾折部によって接続した構造により、発光光量を増して液晶パネル全体の輝度を向上させるだけでなく、左右湾折部の構造により左右端部のフレーム部位の輝度を向上して中央位置の輝度と等しくして、バックライトの輝度を均一にすることができる。【選択図】図２
0003108051.tif 000002
【実用新案登録請求の範囲】
【請求項１】
直下型バックライト光源の改良構造であって、直下型バックライトモジュールは、少なくとも、一つ以上のS型ランプを含み、
前記S型ランプは、一定間隔で配列された三つの直管部と、前記直管部の左右開放端を接続する二つの湾折部が一体となって形成されていることを特徴とする直下型バックライト光源の改良構造。
【請求項２】
前記バックライトモジュール内のS型ランプは、更に、直線型ランプと組み合わせて配置されてなることを特徴とする請求項１に記載の直下型バックライト光源の改良構造。
【請求項３】
前記バックライトモジュール内のS型ランプは、更に、U型ランプと組み合わせて配置されてなることを特徴とする請求項１に記載の直下型バックライト光源の改良構造。
【請求項４】
前記バックライトモジュール内には、二組のS型を呈するランプを組み合わせて配置されてなることを特徴とする請求項１に記載の直下型バックライト光源の改良構造。
【請求項５】
前記S型ランプは、冷陰極管蛍光ランプCCFLであることを特徴とする請求項１、或いは、２、或いは、３、或いは４に記載の直下型バックライト光源の改良構造。
【請求項６】
前記バックライトモジュール内の二組のS型ランプは、正S、及び逆Sの順に配列されていることを特徴とする請求項４に記載の直下型バックライト光源の改良構造。
【請求項７】
前記バックライトモジュール内の二組の前記S型ランプは、逆S、及び正Sの順に配列されていることを特徴とする請求項４に記載の直下型バックライト光源の改良構造。
【請求項８】
前記バックライトモジュール内の二組の前記S型ランプは、正Sが組み合わされて配列されていることを特徴とする請求項４に記載の直下型バックライト光源の改良構造。
【請求項９】
前記バックライトモジュール内の二組の前記S型ランプは、逆Sが組み合わされて配列されていることを特徴とする請求項４に記載の直下型バックライト光源の改良構造。
【請求項１０】
直下型バックライト光源の改良構造であって、バックライトモジュールは、少なくとも一組以上の、三つの間隔直管部、及び前記直管部左右開放端を接続する湾折部が一体に設置されてなるS型のランプを有し、
前記S型ランプ下側に設置される反射片と、
前記S型ランプ上方に近接して設置され、更に上方に増光板を有する導光板を設置し、前記導光板の乱反射パターン構造、或いは、拡散剤を添加した構成により、光線を各角度に拡散して均一に分散して前記導光板正面から射出する光線を更に分散する拡散板と、
前述の構造を収納し、バックライトモジュールを構成するハウジングと、
からなることを特徴とする直下型バックライト光源の改良構造。
【請求項１１】
前記増光板上側には、拡散板、或いは、反射式偏光板を増設してなることを特徴とする請求項１０に記載の直下型バックライト光源の改良構造。
【請求項１２】
前記増光板は、水平プリズムと垂直プリズムを互いに組み合わせてなることを特徴とする請求項１０に記載の直下型バックライト光源の改良構造。
【請求項１３】
前記ハウジングは、金属からなることを特徴とする請求項１０に記載の直下型バックライト光源の改良構造。
【請求項１４】
前記ハウジングは、プラスチックからなることを特徴とする請求項１０に記載の直下型バックライト光源の改良構造。
【請求項１５】
前記S型ランプは、冷陰極管蛍光ランプCCFLであることを特徴とする請求項１０に記載の直下型バックライト光源の改良構造。
【請求項１６】
直下型バックライト光源の改良構造であって、前記光源は、三つの直管部と、前記直管部開放端を接続する左右湾折部と、からなるS型ランプであることを特徴とする直下型バックライト光源の改良構造。
【請求項１７】
前記S型ランプは、冷陰極管蛍光ランプであることを特徴とする請求項１６に記載の直下型バックライト光源の改良構造。
【考案の詳細な説明】
【技術分野】
【０００１】
本考案は、直下型バックライトモジュールの光源改良構造に関するものであって、特に、液晶パネルの輝度を向上させるS型ランプを有する構造で、バックライトモジュールの技術発展に属するものである。
【背景技術】
【０００２】
バックライトモジュール（back  light  module）は液晶ディスプレイパネルの重要な素子のひとつである。液晶分子自身は発光しないので、バックライトモジュールの機能は、充分な輝度と均一に分布した光源を提供して、正確なイメージを表示することにある。
【０００３】
上述から分かるように、液晶パネルの輝度の優劣のポイントは、液晶パネルに輝度を提供するバックライトモジュールにあるが、しかし、単一の光源（現在、多くは冷陰極管蛍光ランプCCFLを発光源としている）をモジュール側辺に配置した側光式バックライトモジュール、或いは、複数の光源をモジュール正下方に配列した直下型バックライトモジュールにおける冷陰極管蛍光ランプの外観形態は、多くが、直線型構造を採用している。
【０００４】
図５を参照すると、公知の直下型バックライトモジュールの冷陰極管ランプの構成において、直線型ランプは、複数のランプを一定間隔で配列する構成を採っており、導光板下側に配置されて一定間隔で配列されたランプは、左右側に向けて光源を提供することができるが、ランプの前後端部方向には光源が提供できない死角地帯を形成し、このため、液晶パネル中央部位は明るく、隅のフレーム部分は光源が効果的に提供されずに暗くなり、液晶パネルの全体の輝度コントラスト差が顕著となる。
【０００５】
液晶ディスプレイパネルの製造企業は、U字型ランプを発光源とするU字型ランプバックライトモジュールを開発し、図６で示されるように、直線型ランプと合わせて使用するU字型ランプは、主に、相隣して配列される直線型ランプの一端に、U字型の湾弧部位を増設し、液晶パネルが、中央に充分な輝度を得る以外に、そのフレーム部分も、U字型ランプの湾弧部位により、好ましい光源が提供されて、液晶パネルの中央とフレーム辺縁の輝度は均衡になるが、他の側では、このような湾弧部位による光源が提供されず、液晶ディスプレイパネル全体の輝度を均衡にする目的が達成されない。
【０００６】
直線型ランプであっても、U字型ランプであっても、液晶パネルに一定の輝度を提供するので、一般の文書処理作業者には、充分な状況であると言えるが、高輝度を必要とするゲームのプレーヤーにとっては、公知の直線型ランプ、或いは、U字型ランプの液晶パネルでは、要求を満たすことができない。また、公知のバックライトモジュール内は、直線型ランプ、或いは、U字型ランプ設計を採用し、以下のような欠点が存在する。
【０００７】
１．直下型バックライトモジュールは、モジュール内に複数の一定間隔で配列されたランプを発光源とするため、バックライトモジュールの組み立てに際してこれら複数の直線型ランプを、順に、導光板の所定位置に配列する作業が非常に煩雑である。U字型ランプを採用したとしても、直線型ランプの二分の一の工程時間に短縮されるだけで、全体的に言えば、バックライトモジュール内のランプ構造設計は、まだ、満足できるものではない。
２．上述のように、バックライトモジュール内のランプの数量が多いほど、ランプを制御するためのコネクタの数量も増加し、バックライトモジュールの組み立て速度が遅くなる。また、コネクタの使用量が減少しない情況下で、バックライトモジュールのコスト問題が解決されなければならない。
３．バックライトモジュール内の発光ランプの使用量が多いほど、ランプの高圧駆動制御、及び、圧力を安定させるインバーター（inverter）は、構造設計が複雑になり、制御の精確性に問題が生じる。
【特許文献１】特開2004-200139
【考案の開示】
【考案が解決しようとする課題】
【０００８】
本考案は、直下型バックライト光源改良構造を提供することを目的とする。
【課題を解決するための手段】
【０００９】
上述の目的を達成するため、本考案の直下型バックライト光源改良構造は、バックライトモジュール内に配置されたS字型ランプ設計により、ランプとコネクタの使用量を大幅に減少させ、バックライトモジュールのコストと組み立てにおいて、顕著な効果が現れる。
【００１０】
本考案の直下型バックライト光源改良構造は、バックライトモジュール内が、S字型ランプを採用して、液晶ディスプレイパネルに十分均一な輝度を提供する故、ランプの使用量が減少すると共にインバータの構造設計は簡潔となり、ランプの駆動性、及び、安定した圧力制御の面でも、改善ができる。
【考案の効果】
【００１１】
液晶パネル全体の輝度が大幅に向上し、液晶パネルの輝度の均一性を得る。
【考案を実施するための最良の形態】
【００１２】
本考案の直下型バックライト光源の改良構造１は、図１で示されるように、ハウジング１０（金属、或いは、プラスチック材からなる）からなり、ハウジング内に収納空間１１を形成し、収納空間１１は、S字型を呈するランプ２０（ランプは、LED、CCFL、ELD、CLL等で、CCFLが最も好ましい）を収納し、ランプ２０下端は、更に、反射片２１を設置して、ランプ２０の光線を所定角度で、ランプ２０上方の導光板（LPG）３０に反射し、導光板３０の乱反射パターン構造、或いは、拡散剤を添加した構成により、光線は各角度で拡散して均一に導光板３０の正面から射出し、導光板３０が均一に発光すると共に、均一に分布した光線は、上層の拡散板４０に射入伝導し、拡散板４０の補助により、光源分布を更に均一にする。拡散板４０が均一に分散した後の光線は、拡散板４０から上層の増光板５０（或いは、プリズムで、一般には水平プリズム及び垂直プリズムを合わせて使用する）に伝達し、増光板５０は、均一に拡散した光源を、パネル（パネルは本考案の特徴ではないので図示しない）に向けて屈折させ、パネルの輝度を向上させる。
【００１３】
この他、その他の要素に基づくと、上述のバックライトモジュール１の増光板５０上層に、上拡散板、或いは、反射式偏光片を増設し、プリズムを保護し、パネルの輝度を向上させる。
【００１４】
本考案の最も重要な改良特徴は、バックライトモジュール１内のランプ２０の設計で、図２で示されるように、本考案のランプ２０は、主に、上中下の水平に配列された直管部２０１（即ち、いわゆる直線型ランプ）、及び、両湾折部２０２からなる。
【００１５】
上、中直管部２０１右側は湾折部２０２をなし、中、下直管部２０１左側も湾折部２０２で、本考案のS字型ランプ２０は、上述の水平間隔に配列された三つの直管部２０１、及び、直管部２０１左右開放端を接続した湾折部２０２からなる。
【００１６】
S字型ランプ２０の、直管部２０１の左右湾折部２０２を接続する設計により、液晶パネル全体の輝度が大幅に向上し、左右側のフレーム輝度は、湾折部２０２で光源が提供される下、更に、液晶パネルの輝度の均一性を得る。
【００１７】
本考案は、S型ランプ設計により、液晶パネル全体の輝度が好ましい平衡状態を達成し、公知の液晶パネル中央と左右フレーム間のコントラスト差が過大になる問題を改善する。
【００１８】
更に、本考案のバックライトモジュール１内のランプ２０は、左右領域の湾折部２０２のS型外観設計を採用したことにより、バックライトモジュール１の組み立てが更に容易になり、組み立て速度も加速され、ランプは、S型設計により、ランプの使用量を減少させる以外に、結合するコネクタ（図示しない）の使用量も減少し、コスト全体が抑制される。
【００１９】
また、注意すべきことは、コネクタの使用量を減少させたり、或いは、インバータの構造設計を簡潔にしたいという要求に対して、バックライトモジュール内のS型ランプに過大な数の湾折部の延伸設計を採用すると、ランプの総体長さが長すぎて、インバータがランプを駆動しにくくなり、精確に電圧を制御することができず、ランプ発光むらが生じるので、本考案者は、S型発光ランプにおいて、図２で示されるような、上、中、下の三つの直管部２０１、及び、二つの湾折部２０２からなる両湾折領域のS型設計方式により、液晶パネルイメージ表示に必要な輝度を提供する。
【００２０】
一般的なサイズの液晶パネルは、バックライトモジュール１内には、二組の両湾折領域を有するS型発光ランプを設置し、パネルに必要な好ましい輝度を提供することができるほか、本考案のS型発光ランプは、図２で示されるような逆S型、S型配列以外に、図３で示されるような、正Sと逆Sの配列方式や、図４で示されるような、二つのSの正方向の配列組み合わせ、或いは、二つの逆S方向に配列するなどによって、いずれもパネル輝度を大幅に向上させる。
【００２１】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００２２】
【図１】本考案の外観断面図である。
【図２】本考案のS型発光ランプの平面図である。
【図３】本考案のS型発光ランプの異なる配列組み合わせの平面図である。
【図４】本考案のS型発光ランプの他の異なる配列組み合わせの平面図である。
【図５】公知の直線型ランプの平面図である。
【図６】公知のU型発光ランプの平面図である。
【符号の説明】
【００２３】
１…バックライトモジュール
１０…ハウジング
１１…収納空間
２０…ランプ
２０１…直管部
２０２…湾折部
２１…反射片
３０…導光板
４０…拡散板
５０…増光板
【図１】
0003108051.tif 000003
【図２】
0003108051.tif 000004
【図３】
0003108051.tif 000005
【図４】
0003108051.tif 000006
【図５】
0003108051.tif 000007
【図６】
0003108051.tif 000008